(57)【要約】【課題】  裏紙を用いた印刷において、ユーザに違和感を与えることなく印刷可能な面の判定を確実に行うと共に、ユーザにどちらが有効な面であるのかを明示するプリンタやＭＦＰ等の画像形成装置を提供する。【解決手段】  ＭＦＰ１００の用紙判定部１８０は操作パネル１２０経由でユーザの印刷指示を受け、データ入力部１１０に原稿を読み取らせ、裏紙印刷である場合、用紙給紙部１３０に裏紙を給紙させ、画像印刷部１９０に印刷を指示する。画像印刷部１９０は印刷を実行し、両面反転部１７０に用紙を反転させ、裏面の無効化のための印刷を行う。また、通常印刷である場合、用紙判定部１８０は用紙給紙部１３０にウォーターマークの印刷と、通常の用紙の給紙とを行わせ、画像印刷部１９０に印刷を行わせる。【選択図】  図１
2006130674.tif 000002
【特許請求の範囲】
【請求項１】
外部から印刷要求を受けて印刷を実行する画像形成装置において、
前記印刷要求が裏紙印刷である場合に、給紙対象の用紙である裏紙の印刷対象面に既に印刷が行われているか否かをチェックするチェック手段と、
前記チェック手段が前記裏紙の印刷対象面に印刷が行われていないことを検知した場合のみ、前記裏紙を給紙する給紙手段と、
前記給紙手段が給紙した用紙の印刷対象面に印刷を行う印刷手段と、
前記印刷手段が印刷した前記裏紙を反転させる反転手段と、
前記反転手段が反転した前記裏紙の非印刷対象面に、予め受け付けた指定に基づく文字や記号を、予め受け付けた指定に基づくサイズに従って印刷する裏面無効化手段と
を具備することを特徴とする画像形成装置。
【請求項２】
外部から印刷要求を受けて印刷を実行する画像形成装置において、
前記印刷要求が裏紙印刷である場合に、給紙対象の用紙である裏紙の印刷対象面に既に印刷が行われているか否かをチェックするチェック手段と、
前記チェック手段が前記裏紙の印刷対象面に印刷が行われていることを検知した場合に、前記裏紙を給紙する給紙手段と、
前記給紙手段が給紙した前記裏紙の印刷対象面に、予め受け付けた指定に基づく文字や記号を、予め受け付けた指定に基づくサイズに従って印刷する裏面無効化手段と、
前記裏面無効化手段が前記文字や記号を印刷した裏紙を反転させる反転手段と、
前記反転手段が反転することにより印刷対象となった面に印刷を行う印刷手段と
を具備することを特徴とする画像形成装置。
【請求項３】
前記チェック手段が印刷済みであることを検知した場合にエラーを報知する報知手段を更に具備することを特徴とする請求項１に記載の画像形成装置。
【請求項４】
外部から印刷要求を受けて印刷を実行する画像形成装置において、
用紙を給紙する給紙手段と、
前記給紙手段が給紙した用紙の印刷対象面にマークを印刷するマーキング手段と、
前記マーキング手段がマークを印刷した前記用紙の印刷対象面に印刷を行う印刷手段と
を具備することを特徴とする画像形成装置。
【請求項５】
前記マーキング手段が印刷するマークはウォーターマークであることを特徴とする請求項４に記載の画像形成装置。
【発明の詳細な説明】
【技術分野】
【０００１】
本発明は、プリンタやＭＦＰ（Ｍｕｌｔｉｐｌｅ  Ｆｕｎｃｔｉｏｎ  Ｐｒｉｎｔｅｒ、複合機能プリンタ）等の画像形成装置に関する。
【背景技術】
【０００２】
企業や官公庁においてはプリンタやＭＦＰ等の画像形成装置の用紙節約のために片面印刷済みの用紙（以降、裏紙と呼ぶ）を使用して印刷を行うことがある。しかし、例えば会議の資料を裏紙に印刷する場合、出席者にとっては資料が両面印刷のものであるのか、片面印刷のものであるのか、判断がつきにくい第１の問題点がある。
【０００３】
この問題点に対し、例えば会議の主催者は、資料作成時に資料の裏面に手書きで斜線を入れる対処方法がある。しかし、資料の量が多い場合などには、こうした人手による対応は煩わしさに耐えない。
【０００４】
また、プリンタやＭＦＰのユーザは、裏紙を使用して印刷を行う場合に用紙のセットを誤り、既に印刷された面に重ねて印刷を行うことがある第２の問題点もある。
【０００５】
上述の問題点に関連して、特許文献１には裏面専用トレーから給紙を行い、既に印刷されている面にマークを印刷する技術が開示されている。しかし、この技術ではページの一部にマークをつけるだけであり、このマークが見落とされる危険性もあるため、上述の第１の問題点は十分には解決されない。
【０００６】
また、特許文献２には裏紙印刷の場合に用紙の両面をセンサでチェックして印刷されていない面を検知し、印刷を行う技術が開示されている。しかし、特許文献２の技術では上述の第１の問題点は解決されない。
【０００７】
また、特許文献３には通常の印刷の場合、印刷面にマークを印刷し、裏紙印刷の場合にこのマークをチェックして印刷されていない面を検知し、印刷を行う技術が開示されている。しかし、特許文献３の技術では通常印刷において本来印刷する予定のないマークを印刷するため、印刷結果がユーザの意図しない不自然なものとなることがある問題点がある。また、特許文献３の技術では上述の第１の問題点は解決されない。
【０００８】
また、特許文献４および特許文献５には裏紙印刷の場合に新たに印刷する面にマークを印刷し、どちらが有効な面であるかを示す技術が開示されている。しかし、特許文献４および特許文献５の技術では本来印刷する予定のないマークを印刷するため、印刷結果がユーザの意図しない不自然なものとなることがあり、上述の第１の問題点は十分には解決されていない。
【０００９】
即ち、特許文献１〜特許文献５のいずれの技術も上述の第１の問題点を解決するものではなく、また、特許文献１〜特許文献５を組み合わせたとしても同様にこの問題点は解決されない。
【特許文献１】特開平５−５７９６６号公報
【特許文献２】特開平１０−９７１２２号公報
【特許文献３】特開２０００−２７６０１６号公報
【特許文献４】特開平６−３５６３３号公報
【特許文献５】特開２００１−３１５４１５号公報
【発明の開示】
【発明が解決しようとする課題】
【００１０】
本発明は上記の事情を考慮してなされたもので、その目的は、裏紙を用いた印刷において、ユーザに違和感を与えることなく印刷可能な面の判定を行うと共に、ユーザにどちらが有効な面であるのかを明示するプリンタやＭＦＰ等の画像形成装置を提供することである。
【課題を解決するための手段】
【００１１】
この発明は前述の課題を解決するためになされたもので、請求項１の発明は、外部から印刷要求を受けて印刷を実行する画像形成装置において、前記印刷要求が裏紙印刷である場合に、給紙対象の用紙である裏紙の印刷対象面に既に印刷が行われているか否かをチェックするチェック手段と、前記チェック手段が前記裏紙の印刷対象面に印刷が行われていないことを検知した場合のみ、前記裏紙を給紙する給紙手段と、前記給紙手段が給紙した用紙の印刷対象面に印刷を行う印刷手段と、前記印刷手段が印刷した前記裏紙を反転させる反転手段と、前記反転手段が反転した前記裏紙の非印刷対象面に、予め受け付けた指定に基づく文字や記号を、予め受け付けた指定に基づくサイズに従って印刷する裏面無効化手段とを具備することを特徴とする画像形成装置である。
【００１２】
また、請求項２の発明は、外部から印刷要求を受けて印刷を実行する画像形成装置において、前記印刷要求が裏紙印刷である場合に、給紙対象の用紙である裏紙の印刷対象面に既に印刷が行われているか否かをチェックするチェック手段と、前記チェック手段が前記裏紙の印刷対象面に印刷が行われていることを検知した場合に、前記裏紙を給紙する給紙手段と、前記給紙手段が給紙した前記裏紙の印刷対象面に、予め受け付けた指定に基づく文字や記号を、予め受け付けた指定に基づくサイズに従って印刷する裏面無効化手段と、前記裏面無効化手段が前記文字や記号を印刷した裏紙を反転させる反転手段と、前記反転手段が反転することにより印刷対象となった面に印刷を行う印刷手段とを具備することを特徴とする画像形成装置である。
【００１３】
また、請求項３の発明は、請求項１に記載の画像形成装置であって、前記チェック手段が印刷済みであることを検知した場合にエラーを報知する報知手段を更に具備することを特徴とするものである。
【００１４】
また、請求項４の発明は、外部から印刷要求を受けて印刷を実行する画像形成装置において、用紙を給紙する給紙手段と、前記給紙手段が給紙した用紙の印刷対象面にマークを印刷するマーキング手段と、前記マーキング手段がマークを印刷した前記用紙の印刷対象面に印刷を行う印刷手段とを具備することを特徴とする画像形成装置である。
【００１５】
また、請求項５の発明は、請求項４に記載の画像形成装置であって、前記マーキング手段が印刷するマークはウォーターマークであることを特徴とするものである。
【発明の効果】
【００１６】
請求項１、または、請求項２の発明によれば、ユーザにどちらが有効な面であるのかを明示することができる効果がある。また、裏紙印刷を行う場合に印刷結果を変更することもないため、不自然な印象を与えることなどもない。
【００１７】
また、請求項３の発明によれば、裏紙印刷の際にユーザが誤って印刷済の面に印刷を行おうとした場合、これを報知して抑止することができる効果がある。
【００１８】
また、請求項４の発明によれば、印刷済の面であることを明確に表すことができる効果がある。
【００１９】
請求項５の発明によれば、ユーザに違和感を与えることなく印刷済の面であることを表すことができる効果がある。
【発明を実施するための最良の形態】
【００２０】
以下、図面を参照し、この発明の第１の実施の形態〜第３の実施の形態について説明する。
【００２１】
＜＜第１の実施の形態＞＞
図１は本実施の形態における画像形成装置であるＭＦＰ１００の構成を表している。ＭＦＰ１００のデータ入力部１１０はコピーや紙面のスキャンを行う場合に原稿を読み取って画像データを生成する。
【００２２】
操作パネル１２０はユーザの指示を受け付ける。用紙判定部１８０はユーザの指示に基づいて印刷用紙を選択する。用紙情報１４０はＭＦＰ１００にセットされた用紙のサイズや、裏紙などの用紙のタイプを記憶する記憶領域である。用紙給紙部１３０は、用紙情報１４０を参照し、用紙判定部１８０が選択した用紙を印刷のために給紙する。
【００２３】
両面反転部１７０は印刷時に必要に応じて用紙を反転させる。画像印刷部１９０は印刷を行う。ＪＯＢ情報１５０は文書データの印刷要求などに関するデータを格納する記憶領域である。ＪＯＢ判定部１６０はＪＯＢ情報１５０の格納する印刷要求などを識別する。
【００２４】
また、図３はＭＦＰ１００の裏紙用の用紙トレーであるトレー１３３を表している。ユーザは、白紙の表面に印刷イメージデータが印刷されるように、裏紙の印刷済の面（裏面）を下に向けて、予めトレー１３３にセットする。このため、本実施の形態においては、トレー１３３にセットされた用紙の上側の面が印刷対象面となる。ローラー１３２は用紙を給紙するためのローラーである。センサ１３１はトレー１３３にセットされた用紙にウォーターマークや図５に示す会社名や日付などの特定の文字列等が印刷されているか否かをチェックする。また、センサ１３１によるチェックを確実なものとするため、トレー１３３にセットされる裏紙には例えば、図６に示す様な裏面が無効であることを示す印刷が既に行われていることが好ましい。
【００２５】
感光ドラム１３７は印刷用の感光ドラムであり、転写部１３８は裏紙の印刷対象面である表面に印刷イメージデータを印刷する。また、印刷イメージデータを印刷した裏紙を両面反転部１７０で反転させた後、再度転写部１３８に搬送し、裏紙の非印刷対象面である裏面に、例えば図６に示すような無効を表す印刷を行う。更に、ＭＦＰ１００は裏紙でない、通常の用紙を格納するトレーも備える。
【００２６】
次に、図２を参照して本実施の形態における処理の流れを説明する。以降では裏紙を使用しないコピー処理である通常コピー処理と、裏紙コピー処理とについて説明する。
【００２７】
＜通常コピー処理＞
いま、ＭＦＰ１００のユーザはＭＦＰ１００にコピーの原稿をセットし、用紙の大きさと、裏紙でない通常の用紙の使用とを指定してコピーの実行指示をＭＦＰ１００の操作パネル１２０へ入力する。
【００２８】
ＭＦＰ１００の用紙判定部１８０は操作パネル１２０を経由してユーザからの指示を受け（図２のステップＳ０１）、データ入力部１１０にユーザがセットした原稿を読み取らせ、印刷イメージデータを生成させ、この印刷イメージデータを記憶領域に書き込ませる。
【００２９】
次に、用紙判定部１８０はユーザの指示が裏紙を使用しない通常コピーであることを検知し（図２のステップＳ０２が“Ｎｏ”）、通常用紙と、受け付けた用紙のサイズとを指定して用紙給紙部１３０に給紙を指示する。
【００３０】
用紙給紙部１３０は用紙判定部１８０からの指示を受け、トレーから裏紙でない通常の用紙を１枚給紙する。そして、用紙給紙部１３０は用紙判定部１８０へＯＫを出力する。
【００３１】
用紙判定部１８０は用紙給紙部１３０からのＯＫを受け付け、先程データ入力部１１０が記憶領域に書き込んだ印刷イメージデータと、通常印刷とを指定して画像印刷部１９０に印刷を指示する。
【００３２】
画像印刷部１９０は用紙判定部１８０からの指示を受け、指定された印刷イメージデータを記憶領域から読み出し、用紙給紙部１３０が給紙した用紙に印刷を行い（図２のステップＳ０６）、排紙する。そして、画像印刷部１９０は用紙判定部１８０にＯＫを出力する。
【００３３】
用紙判定部１８０は画像印刷部１９０からのＯＫを受け付け、印刷が完了したことを検知して処理を終了する。
【００３４】
＜裏紙コピー処理＞
いま、ＭＦＰ１００のユーザはＭＦＰ１００にコピーの原稿をセットし、用紙の大きさと、裏紙の使用とを指定してコピーの実行指示をＭＦＰ１００の操作パネル１２０へ入力する。
【００３５】
ＭＦＰ１００の用紙判定部１８０は操作パネル１２０を経由してユーザからの指示を受け（図２のステップＳ０１）、データ入力部１１０にユーザがセットした原稿を読み取らせ、印刷イメージデータを生成させ、この印刷イメージデータを記憶領域に書き込ませる。そして、用紙判定部１８０はユーザの指示が裏紙を使用したコピーであることを検知し（図２のステップＳ０２が“Ｙｅｓ”）、裏紙と、受け付けた用紙のサイズとを指定して用紙給紙部１３０に給紙を指示する。
【００３６】
用紙給紙部１３０は用紙判定部１８０からの指示を受け、図３に示すトレー１３３から用紙の給紙を試みる。用紙給紙部１３０は、まず、センサ１３１にウォーターマークや図５に示す会社名、日付などの特定の文字列等、何かが既に印刷されているか否かをチェックさせ（図２のステップＳ０３）、特に何も印刷されていない場合には（図２のステップＳ０３が"Ｎｏ"）トレー１３３には印刷可能な紙がセットされていると判断する。ここで、センサ１３１によるチェックを確実なものとするため、トレー１３３にセットされる裏紙には例えば、図６に示す様な裏面が無効であることを示す印刷が既に行われていることが好ましい。そして、用紙給紙部１３０は給紙を行い、ＯＫを用紙判定部１８０へ出力する。
【００３７】
用紙判定部１８０は用紙給紙部１３０からのＯＫを受け付け、先程データ入力部１１０が記憶領域に書き込んだ印刷イメージデータと、裏紙印刷とを指定して画像印刷部１９０に印刷を指示する。
【００３８】
画像印刷部１９０は用紙判定部１８０からの指示を受け、用紙判定部１８０の指定した印刷イメージデータを指定し、用紙給紙部１３０が給紙した用紙の表面に対して感光ドラム１３７および転写部１３８に印刷を実行させる（図２のステップＳ０４）。
【００３９】
次に、画像印刷部１９０は両面反転部１７０に用紙を反転させ、感光ドラム１３７および転写部１３８に用紙の裏面への図５に示すウォーターマークと、裏面の無効化の表示との印刷を行わせ（図２のステップＳ０５）、排紙する。そして、画像印刷部１９０は用紙判定部１８０にＯＫを出力する。
【００４０】
この裏面印刷は、ユーザに有効な面を明示するために、例えば図６に示すような、好ましくは大きく濃い文字やシンボル、記号等である。
【００４１】
また、用紙給紙部１３０は、センサ１３１が図５に示すウォーターマーク等、何かが用紙に既に印刷されていることを検知した場合には（図２のステップＳ０３が“Ｙｅｓ”）、トレー１３３には印刷可能な紙がセットされていないと判断する。そして、用紙給紙部１３０はＮＧを用紙判定部１８０へ出力する。
【００４２】
用紙判定部１８０は用紙給紙部１３０からＮＧを入力し、ユーザがトレー１３３に裏紙の裏表を逆にセットして印刷を行おうとした場合等に該当すると判断し、メッセージを表示部に表示させてユーザに報知し（図２のステップＳ０７）、処理を終了する。
【００４３】
＜＜第２の実施の形態＞＞
本実施の形態における画像形成装置の構成は、第１の実施の形態と同様に図１に示すものである。ただし、本実施の形態において、ユーザは裏紙の印刷済の面（裏面）を上に向けて、予めトレー１３３にセットする。このため、本実施の形態においては、トレー１３３にセットされた用紙の下側の面が印刷対象面となる。
【００４４】
＜通常コピー処理＞
本実施の形態における通常コピー処理は、第１の実施の形態における通常コピー処理と同様である。
【００４５】
＜裏紙コピー処理＞
本実施の形態における裏紙コピー処理も多くの部分が第１の実施の形態と同様であるため、図２のフローチャートを参照し、第１の実施の形態と異なる処理について説明する。本実施の形態が第１の実施の形態と異なる点として、まず、図２のステップＳ０３がある。
【００４６】
図２のステップＳ０３において、用紙給紙部１３０はセンサ１３１に対して、トレー１３３にセットされた用紙にウォーターマークや図５に示す会社名、日付などの特定の文字列等、何も印刷されていないことのチェックを要求し（図２のステップＳ０３）、第１の実施の形態とは反対に何か印刷されていることを検知した場合に（図２のステップＳ０３が"Ｎｏ"）、トレー１３３に印刷可能な紙がセットされていると判断する。
【００４７】
また、用紙給紙部１３０はトレー１３３にセットされた用紙に何も印刷されていないことを検知した場合には（図２のステップＳ０３が"Ｙｅｓ"）、トレー１３３に裏面も、表面も印刷されていない通常の用紙がセットされていると判断する。このケースはユーザが裏紙をトレー１３３にセットするところを、誤って通常の用紙をセットしたケースである。
【００４８】
また、本実施の形態がこの他の第１の実施の形態と異なる点として、図２のステップＳ０４と、ステップＳ０５とがある。本実施の形態においては図２のステップＳ０４と、ステップＳ０５とが逆の順番となる。
【００４９】
即ち、図２のステップＳ０３が"Ｎｏ"である場合、用紙判定部１８０は、第１の実施の形態と同様にデータ入力部１１０が記憶領域に書き込んだ印刷イメージデータと、裏紙印刷とを指定して画像印刷部１９０に印刷を指示する。
【００５０】
画像印刷部１９０は用紙判定部１８０からの指示を受け、感光ドラム１３７および転写部１３８に用紙の裏面への図５に示すウォーターマークと、裏面の無効化の表示との印刷を行わせる（図２のステップＳ０５）。
【００５１】
次に、画像印刷部１９０は両面反転部１７０に用紙を反転させ、用紙判定部１８０の指定した印刷イメージデータを指定し、用紙給紙部１３０が給紙した用紙の表面に対して感光ドラム１３７および転写部１３８に印刷を実行させ（図２のステップＳ０４）、排紙する。そして、画像印刷部１９０は用紙判定部１８０にＯＫを出力する。
【００５２】
＜＜第３の実施の形態＞＞
本実施の形態における画像形成装置の構成は、第１の実施の形態と同様に図１に示すものである。ただし、給紙用のトレーが異なる。図４はＭＦＰ１００の裏紙用の用紙トレーであるトレー１３６を表している。ユーザは裏紙の白紙の表面に印刷イメージデータが印刷されるように印刷済の面（裏面）を上に向けて、予めトレー１３６にセットする。即ち、セットされた用紙の下側の面が印刷対象面となる。
【００５３】
ローラー１３４は用紙を給紙するためのローラーである。センサ１３１はトレー１３３にセットされた用紙に図５に示すウォーターマーク等が印刷されているか否かをチェックする。スリット１３５は図５に示すウォーターマークを裏紙の非印刷面（裏面）に印刷する。また、ＭＦＰ１００は裏紙でない、通常の用紙を格納するトレーも備える。
【００５４】
次に、図７を参照して本実施の形態における処理の流れを説明する。以降では裏紙を使用しないコピー処理である通常コピー処理と、裏紙コピー処理とについて説明する。
【００５５】
＜通常コピー処理＞
この処理は前述の第１の実施の形態と同様である。
【００５６】
＜裏紙コピー処理＞
いま、ＭＦＰ１００のユーザはＭＦＰ１００にコピーの原稿をセットし、用紙の大きさと、裏紙の使用とを指定してコピーの実行指示をＭＦＰ１００の操作パネル１２０へ入力する。
【００５７】
ＭＦＰ１００の用紙判定部１８０は操作パネル１２０を経由してユーザからの指示を受け（図７のステップＴ０１）、データ入力部１１０にユーザがセットした原稿を読み取らせ、印刷イメージデータを生成させ、この印刷イメージデータを記憶領域に書き込ませる。そして、用紙判定部１８０はユーザの指示が裏紙を使用したコピーであることを検知し（図７のステップＴ０２が"Ｙｅｓ"）、裏紙と、受け付けた用紙のサイズとを指定して用紙給紙部１３０に給紙を指示する。
【００５８】
用紙給紙部１３０は用紙判定部１８０からの指示を受け、図４に示すトレー１３６から用紙の給紙を試みる。用紙給紙部１３０は、まず、センサ１３１に図５に示すウォーターマーク等、何かが既に印刷されているか否かをチェックさせ（図７のステップＴ０３）、何かが印刷されている場合には（図７のステップＴ０３が"Ｙｅｓ"）トレー１３６には裏紙がセットされていると判断する。そして、用紙給紙部１３０はスリット１３５にウォーターマークを印刷させながら（図７のステップＴ０４）給紙を行い、ＯＫを用紙判定部１８０へ出力する。
【００５９】
画像印刷部１９０は用紙判定部１８０からの指示を受け、用紙判定部１８０の指定した印刷イメージデータを指定し、用紙給紙部１３０が給紙した用紙の表面に対して感光ドラム１３７および転写部１３８に印刷を実行させる。
【００６０】
次に、画像印刷部１９０は両面反転部１７０に用紙を反転させ、感光ドラム１３７および転写部１３８に用紙の裏面への無効化の表示の印刷を行わせ（図７のステップＴ０５）、排紙する。そして、画像印刷部１９０は用紙判定部１８０にＯＫを出力する。
【００６１】
用紙判定部１８０は画像印刷部１９０からＯＫを入力し、印刷が完了したことを検知して処理を終了する。
【００６２】
また、用紙給紙部１３０は、センサ１３１が図５に示すウォーターマーク等、何も用紙に印刷されていないことを検知した場合には（図７のステップＴ０３が"Ｎｏ"）、トレー１３３に用紙が正しくセットされていないと判断する。そして、用紙給紙部１３０はＮＧを用紙判定部１８０へ出力する。
【００６３】
用紙判定部１８０は用紙給紙部１３０からＮＧを入力し、ユーザがトレー１３３に裏紙の裏表を逆にセットして印刷を行おうとした場合等に該当すると判断し、メッセージを表示部に表示させてユーザに報知し（図７のステップＴ０７）、処理を終了する。
【００６４】
以上、図面を参照して本発明の実施の形態について詳述してきたが、具体的な構成はこの実施の形態に限られるものではなく、この発明の要旨を逸脱しない範囲の設計変更等も含まれる。例えば、ウォーターマークは用紙の右上部分に限らず左上や右下、あるいは左端中央や右端中央等、用紙上の他の部分であっても良い。
【００６５】
また、ウォーターマークは図５に示すもの以外にも、ページ番号や日付、時刻、印刷者の名前、シンボルなどであっても良い。また、ウォーターマーク自体もユーザ指定可能であっても良い。
【００６６】
また、本実施の形態におけるＭＦＰ１００は、ユーザから裏紙を用いた両面印刷の要求を受けた場合には、メッセージの表示やビープ音の発音等によって要求の確認を行っても良い。
【００６７】
また、本実施の形態におけるＭＦＰ１００は、ネットワークを経由してパソコン等から文書等の印刷要求を受け付けても良い。
【００６８】
また、本実施の形態におけるＭＦＰ１００がカラー印刷機能を備える場合には、カラーインクの残量をチェックするチェック手段を更に備え、裏紙印刷時に図６に示す裏紙の無効化を行う際に、当該チェック手段のチェック結果から最も残量の多いインクを選択し、当該最も残量の多いインクを使用しても良い。最も残量の多いカラーインクを使用することで使用頻度の高いカラーインクを節約する効果がある。また、この方法は図６に示す裏面の無効化において使用頻度の低い色を使用するため、裏面が無効であることを一層明確に示すことができる効果が得られる。
【００６９】
また、本実施の形態におけるＭＦＰ１００は図６に示す裏紙の無効化を行う際に、非印刷対象面に×印や斜線、あるいは「無効」等を印刷しても良い。また、これらの文字や記号、サイズ、印刷位置、あるいは印刷方向等をユーザ指定で変更可能としても良い。これは例えば、ユーザが操作パネル１２０から文字や記号、あるいはこれらのサイズ等を指定し、この指定を用紙判定部１８０が受けて裏紙印刷時に画像印刷部１９０に指定して印刷させる方法がある。
【図面の簡単な説明】
【００７０】
【図１】この発明の実施の形態における画像形成装置の構成を示すブロック図である。
【図２】この発明の実施の形態における画像形成装置の処理の流れを表すフローチャートである。
【図３】この発明の実施の形態における画像形成装置が備えるトレーを表す図である。
【図４】この発明の実施の形態における画像形成装置が備えるトレーを表す図である。
【図５】この発明の実施の形態における画像形成装置が印刷するウォーターマークを表す図である。
【図６】この発明の実施の形態における画像形成装置による裏面印刷を表す図である。
【図７】この発明の実施の形態における画像形成装置の処理の流れを表すフローチャートである。
【符号の説明】
【００７１】
１００…ＭＦＰ
１１０…データ入力部
１２０…操作パネル
１３０…用紙給紙部
１３１…センサ
１３２…ローラー
１３３…トレー
１３４…スリット
１３５…ローラー
１３６…トレー
１３７…感光ドラム
１３８…転写部
１４０…用紙情報
１５０…ＪＯＢ情報
１６０…ＪＯＢ判定部
１７０…両面反転部
１８０…用紙判定部
１９０…画像印刷部
【図１】
2006130674.tif 000003
【図２】
2006130674.tif 000004
【図３】
2006130674.tif 000005
【図４】
2006130674.tif 000006
【図５】
2006130674.tif 000007
【図６】
2006130674.tif 000008
【図７】
2006130674.tif 000009